(57)【要約】【課題】広告機能を備える自動取引装置１において、広告を必要とする顧客にのみ、広告の詳細を表示する。【解決手段】広告を表示可能な取扱科目表示部７と、操作ガイダンスを表示する操作部４と、顧客の画像を取得するカメラ８ａと、取得した画像に基づき顧客が取扱科目表示部７を見たかどうかを検出する画像解析部１２と、を設け、前記検出した結果に基づき取扱科目表示部７に表示された広告の詳細を操作部４に表示するようにした。【選択図】図２
2010257352.tif 000002
【特許請求の範囲】
【請求項１】
広告を表示する広告表示手段を有し、操作誘導表示手段の誘導により取引を行う自動取引装置において、
顧客の画像を取得する画像取得手段と、
当該画像取得手段により取得した画像に基づき顧客が前記広告表示手段を見たか否かを検出する画像解析手段と、を設け、
前記検出した結果に基づき操作誘導表示手段に顧客が見た広告の詳細を表示するようにしたことを特徴とする自動取引装置。
【請求項２】
前記広告の詳細の表示は、各取引の合間に表示するようにしたことを特徴とする請求項１記載の自動取引装置。
【請求項３】
取引結果を印字する印字手段と、広告を表示する広告表示手段を有し、操作誘導表示手段の誘導により取引を行う自動取引装置において、
顧客の画像を取得する画像取得手段と、
当該画像取得手段により取得した画像に基づき顧客が前記広告表示手段を見たか否かを検出する画像解析手段と、を設け、
前記検出した結果に基づき前記印字手段にて取引結果とともに顧客が見た広告に関する情報を印字できるようにしたことを特徴とする自動取引装置。
【請求項４】
前記広告に関する情報は、インターネット上の当該広告の詳細を表示したページにアクセスできるアドレスであることを特徴とする請求項３記載の自動取引装置。
【発明の詳細な説明】
【技術分野】
【０００１】
本発明は、現金自動支払機、現金自動預払機等の自動取引装置における広告表示技術に関するものである。
【背景技術】
【０００２】
一般に、従来の自動取引装置では、顧客に対して広告を表示する場合、顧客による取引開始操作を待っている初期画面か、顧客による取引操作の合間に、操作画面上に広告を表示するものであった（例えば、特許文献１参照）。
【先行技術文献】
【特許文献】
【０００３】
【特許文献１】特開２００２−２７９４９０号公報
【発明の概要】
【発明が解決しようとする課題】
【０００４】
しかしながら、従来の自動取引装置では、取引開始操作を待っている初期画面での広告表示は、次の顧客が待っている場合などでは取引をすぐに開始しなければならず、取引を開始するとすぐに広告画面から取引の操作画面に切り替える必要があるので、仮に顧客が広告の内容に興味を持っていたとしても充分な時間、その広告を閲覧することができないという問題があった。
【０００５】
また、取引の合間に広告を表示する場合においては、広告内容に興味のない顧客にとっては邪魔となってしまうという問題があった。
【０００６】
また、広告の内容は通常一画面しか表示できないので、多くしても２、３種類程度の広告しか表示できず、表示した広告内容がそのときの顧客が望む広告と必ずしも一致するものでないという問題もあった。
【課題を解決するための手段】
【０００７】
本発明は、前述の課題を解決するため次の構成を採用する。すなわち、広告を表示する広告表示手段を有し、操作誘導表示手段の誘導により取引を行う自動取引装置において、顧客の画像を取得する画像取得手段と、当該画像取得手段により取得した画像に基づき顧客が前記広告表示手段を見たか否かを検出する画像解析手段と、を設け、前記検出した結果に基づき操作誘導表示手段に顧客が見た広告の詳細を表示するようにした。
【発明の効果】
【０００８】
本発明の自動取引装置によれば、広告を表示する広告表示手段を有し、操作誘導表示手段の誘導により取引を行う自動取引装置において、顧客の画像を取得する画像取得手段と、当該画像取得手段により取得した画像に基づき顧客が前記広告表示手段を見たか否かを検出する画像解析手段と、を設け、前記検出した結果に基づき操作誘導表示手段に顧客が見た広告の詳細を表示するようにしたので、広告に興味のある顧客のみ広告の詳細を表示でき、興味のない顧客には広告を表示せず、広告が邪魔とならないようにすることができる。
【図面の簡単な説明】
【０００９】
【図１】実施例１の自動取引装置の概観斜視図である。
【図２】実施例１の自動取引装置の制御系ブロック図である。
【図３】実施例１の自動取引装置の動作フローチャートである。
【図４】実施例１の自動取引装置の動作説明図である。
【図５】実施例１の自動取引装置の動作説明図である。
【図６】実施例２の自動取引装置の動作フローチャートである。
【発明を実施するための形態】
【００１０】
以下、本発明に係わる実施の形態例を、図面を用いて説明する。図面に共通する要素には同一の符号を付す。
【実施例１】
【００１１】
（構成）
実施例１の自動取引装置は、図１のような外観をしており、硬貨入出金口２、紙幣入出金口３、操作部４、通帳挿入口５、カード挿入口６を備えている。そして、自動取引装置の前面側に、カメラ８ａが備えられている。
【００１２】
硬貨挿入口２および紙幣入出金口３は、それぞれ硬貨および紙幣が投入されるとともに、これらが排出される開口部である。硬貨挿入口２および紙幣入出金口３には、それぞれシャッタが設けられ、シャッタが駆動されることにより硬貨挿入口２および紙幣入出金口３がそれぞれ開閉される。これらの奥部には、後述する硬貨および紙幣の入出金処理を行う硬貨処理部および紙幣処理部が設けられている。
【００１３】
通帳挿入口５は、取引で使用される通帳がここから挿入され、取引が終了すると通帳が排出される部分で、その奥部には、後述する通帳処理部が設けられている。カード挿入口６は、カードが挿入または排出される部分で、その奥部には、後述するカード処理部が設けられている。
【００１４】
操作部４は、取引に際して操作画面を表示するＬＣＤと、取引選択、暗証番号や取引金額などを入力するタッチパネルが一体化されて構成される。また、取扱科目表示部７は、取扱科目表示や広告を表示するＬＥＤディスプレイ等から構成される。
【００１５】
そして、操作部４近傍にカメラ８ａが配置されている。このカメラ８ａは、顧客撮影用のカメラで、自動取引装置１に顧客が接近した際に顧客の顔を撮影できる範囲にレンズの画角を調整したものとなっている。
【００１６】
（制御系の構成）
実施例１の自動取引装置の制御系は、図２の制御系ブロック図に示したように、後述の各部の制御を行う主制御部２０と、取扱科目表示や広告を表示する取扱科目表示部７と、カメラ８ａからの画像データを受信し画像を解析し後述の顔写真範囲に顧客の顔画像があるかどうかを解析し顧客が取扱科目表示部７に表示された広告を見ているか見ているかどうかを解析しその結果を主制御部２０に送信する画像解析部１２と、表示されるガイダンスに従い顧客が操作する操作部４とが設けられている。
【００１７】
さらに、実施例１の自動取引装置の制御系には、キャッシュカード等に記録された情報のリードライトを行うカード処理部２１、操作ガイダンス等を音声出力する音声案内部２２、通帳の磁気ストライプのリードライトおよび通帳への印字制御を行う通帳処理部２３、取引明細を印字出力する明細票処理部２４、硬貨の入出金制御を行う硬貨処理部２５、紙幣の入出金制御を行う紙幣処理部２６が設けられている。
【００１８】
さらに、各部に電源を供給する電源部２７、主制御部２０の記憶部としてのメモリ部２８、図示しないホストコンピュータとのインタフェイスを制御するインタフェイス部２９が設けられている。
【００１９】
（動作）
以上の構成により、実施例１の自動取引装置は以下のように動作する。この動作を図３の動作フローチャート、図４および図５の動作説明図を用いて以下詳細に説明する。
【００２０】
まず、顧客が自動取引装置１に近づき、図示しない顧客センサにより顧客を検知すると、操作部４に取引選択画面を表示し、顧客は所望する取引を選択し（ステップＳ０１）、選択された取引処理が開始されると（ステップＳ０２）、取扱科目表示を消去し（ステップＳ０３）、広告の概略の内容を文字にて表示する（ステップＳ０４）。このとき、広告表示をテロップ表示し、複数の種類の広告を順次スクロールさせながら表示するようにしてもよい。
【００２１】
そして、図４に示したように、自動取引装置１の前面に配置したカメラ８ａにより顧客を撮影し、撮影した画像データを画像解析部１２へ送信し、図５のように顔写真範囲３１のデータを切り出し、当該切り出したカメラ画像データの解析を行い、顧客が取扱科目表示部７を見ているかを検出する（ステップＳ０５）。
【００２２】
そして、顧客の視線が取扱科目表示部７を所定の時間以上見ていたと判定した場合は（ステップＳ０６）、顧客が操作する操作部４の画面に、取扱科目に表示されていた広告の詳細を取引の合間に表示し（ステップＳ０７）、取引を終了する。
【００２３】
一方、顧客の視線が取扱科目表示部７を所定の時間以上見ていないと判定した場合は（ステップＳ０６）、取引の合間に広告の詳細を表示させることなく、通常の操作ガイダンスを表示し、取引を終了する。
【００２４】
なお、前述の顔の向きの解析方法としては、特開２００７−１７９３３８号公報等に開示された技術を用いればよい。
【００２５】
（実施例１の効果）
以上詳細に述べたように実施例１の自動取引装置によれば、広告を表示した取扱科目表示部を顧客が見ていることをカメラ画像より解析する画像解析部を備え、当該解析結果に基づき顧客が所定の時間以上見た広告の詳細を取引の合間に操作部に表示するようにしたので、広告に興味のある顧客にのみ広告の詳細を表示することができ、興味のない顧客には広告の詳細を表示せず、広告が邪魔にならないようにすることができる。
【実施例２】
【００２６】
（構成）
実施例２の自動取引装置は、実施例１と同様、図１の構成となっており、また、制御系の構成も図２の構成となっているので、簡略化のためにその詳細な説明は省略する。
【００２７】
（動作）
以上の構成により、実施例２の自動取引装置は以下のように動作する。この動作を図６の動作フローチャート、図４および図５の動作説明図を用いて以下詳細に説明する。
【００２８】
まず、顧客が自動取引装置１に近づき、図示しない顧客センサにより顧客を検知すると、操作部４に取引選択画面を表示し、顧客は所望する取引を選択し（ステップＳ０１）、選択された取引処理が開始されると（ステップＳ０２）、取扱科目表示を消去し（ステップＳ０３）、広告の概略の内容を文字にて表示する（ステップＳ０４）。このとき、広告表示をテロップ表示し、複数の種類の広告を順次スクロールさせながら表示するようにしてもよいことは実施例１と同様である。
【００２９】
そして、図４に示したように、自動取引装置１の前面に配置したカメラ８ａにより顧客を撮影し、撮影した画像データを画像解析部１２へ送信し、図５のように顔写真範囲３１のデータを切り出し、当該切り出したカメラ画像データの解析を行い、顧客が取扱科目表示部７を見ているかを検出する（ステップＳ０５）。
【００３０】
そして、顧客の視線が取扱科目表示部７を所定の時間以上見ていたと判定した場合は（ステップＳ０６）、取引明細書に通常の取引結果のほか取扱科目表示部７に表示していた広告情報、例えばインターネット上のアドレスであるＵＲＬ（Ｕｎｉｆｏｒｍ  Ｒｅｓｏｕｒｃｅ  Ｌｏｃａｔｏｒ）なども印字し（ステップＳ１７）、取引終了時、顧客に渡す。
【００３１】
一方、顧客の視線が取扱科目表示部７を所定の時間以上見ていないと判定した場合は（ステップＳ０６）、取引明細書に広告情報を印字することなく、通常の取引結果を印字し、取引終了時、顧客に渡す。
【００３２】
なお、前述の顔の向きの解析方法としては、特開２００７−１７９３３８号公報等に開示された技術を用いればよいことは実施例１と同様である。
【００３３】
（実施例２の効果）
以上詳細に述べたように実施例２の自動取引装置によれば、広告を表示した取扱科目表示部を顧客が見ていることをカメラ画像より解析する画像解析部を備え、当該解析結果に基づき顧客が所定の時間以上見た広告情報を取引明細書に印字するようにしたので、広告に興味のある顧客のみ広告情報を印字でき、興味のない顧客には広告を印字せず、広告が邪魔とならないようにすることができる。
【００３４】
《その他の変形例》
以上の実施例の説明では、自動取引装置に備えたカメラにより顧客が見ている媒体排出口を検出するように説明したが、自動取引装置を多数設置してあるコーナの場合では、その設置コーナの天井等にカメラを設け、それぞれの自動取引装置に対して顧客を撮影し、取引科目表示部の広告を見ているかを検出して、取引の合間に広告の詳細を操作部に表示したり、取引明細書にＵＲＬを印字したりするようにしてもよい。
【００３５】
また、以上の実施例の説明では、取引科目表示部に表示された広告を顧客が見たことを画像解析部により解析して、その広告の詳細を取引の合間に操作部に表示するように説明したが、操作部に表示した広告を顧客が見ていることを画像解析部により検出し、その検出結果に基づいて、取引の合間に操作部に広告の詳細を表示するようにしてもよいし、或いは取引科目表示部に広告の詳細を表示するようにしてもよい。
【産業上の利用可能性】
【００３６】
以上述べたように、本発明は、広告を表示する広告表示手段を有し、操作誘導表示手段の誘導により取引を行う現金自動支払機、現金自動預払機等の自動取引装置に広く用いることができる。
【符号の説明】
【００３７】
１    自動取引装置
２    硬貨入出金口
３    カード入出口
４    操作部
５    通帳挿入口
６    カード挿入口
７    取引科目表示部
８ａ  カメラ
１２  画像解析部
２０  主制御部
２９  インタフェイス部
３０  カメラの撮影範囲
３１  顔検出範囲
【図１】
2010257352.tif 000003
【図２】
2010257352.tif 000004
【図３】
2010257352.tif 000005
【図４】
2010257352.tif 000006
【図５】
2010257352.tif 000007
【図６】
2010257352.tif 000008